【手続補正書】
【提出日】平成27年7月14日(2015.7.14)
【手続補正１】
【補正対象書類名】特許請求の範囲
【補正対象項目名】全文
【補正方法】変更
【補正の内容】
【特許請求の範囲】
【請求項１】
可変表示を行い、可変表示の表示結果として予め定められた特定表示結果が導出表示されたときに、遊技者にとって有利な特定遊技状態に制御する遊技機であって、
未だ開始されていない可変表示について保留記憶として記憶可能な保留記憶手段と、
前記特定遊技状態に制御するか否かを決定する決定手段と、
前記決定手段により決定される前に、前記特定遊技状態に制御されるか否かを判定する判定手段と、
前記判定手段によって前記特定遊技状態に制御されると判定された場合に、当該判定の対象となった可変表示が開始する以前に、前記特定遊技状態となる可能性を予告する予告演出を実行する予告演出実行手段と、
を備え、
前記予告演出実行手段は、前記予告演出として、前記特定遊技状態となる可能性が異なる複数の第１予告演出のいずれかを実行可能であるとともに、前記特定遊技状態となる可能性が異なる複数の第２予告演出のいずれかを実行可能であり、
複数の前記第１予告演出のうちで前記特定遊技状態となる可能性が低い演出態様の前記第１予告演出が実行される場合に、複数の前記第２予告演出のうちで前記特定遊技状態となる可能性が低い演出態様の前記第２予告演出が実行されることが制限されるように、前記予告演出を実行するとともに、前記保留記憶手段が記憶している保留記憶数が同一の保留記憶数であるときに、前記第１予告演出と前記第２予告演出とを異なる割合にて実行する、
ことを特徴とする遊技機。
【手続補正２】
【補正対象書類名】明細書
【補正対象項目名】０００３
【補正方法】変更
【補正の内容】
【０００３】
可変表示装置において表示結果が導出表示される前に、表示結果が特定表示結果となるか否かを予告する予告演出を実行する遊技機も提案されている。さらに、複数種類の予告演出を同一期間に同時に実行可能とした遊技機も提案されている（例えば特許文献１）。なお、各予告演出においては、予告演出の演出態様によって特定表示結果となる割合が異なるようになっている。
【手続補正３】
【補正対象書類名】明細書
【補正対象項目名】０００５
【補正方法】変更
【補正の内容】
【０００５】
特許文献１の遊技機では、複数種類の予告演出の演出態様が特定表示結果となる割合が低いことを示す演出態様となることがある。このように、特定表示結果となる割合が低い予告演出が重複して実行されると、予告の対象となった可変表示の表示結果が特定表示結果となることへの期待感を損なってしまい、遊技の興趣が低下してしまうという問題があった。
【手続補正４】
【補正対象書類名】明細書
【補正対象項目名】０００７
【補正方法】変更
【補正の内容】
【０００７】
前記課題を解決するために、本発明の遊技機は、
可変表示を行い、可変表示の表示結果として予め定められた特定表示結果（例えば、大当り図柄）が導出表示されたときに、遊技者にとって有利な特定遊技状態（例えば、大当り遊技状態）に制御する遊技機（パチンコ遊技機１）であって、
未だ開始されていない可変表示について保留記憶として記憶可能な保留記憶手段（第１特図保留記憶部１５１Ａ及び第２特図保留記憶部１５１Ｂ）と、
前記特定遊技状態に制御するか否かを決定する決定手段（例えば、ＣＰＵ１０３がステップＳ１１０の特別図柄通常処理を実行する部分）と、
前記決定手段により決定される前に、前記特定遊技状態に制御されるか否かを判定（例えば、ＣＰＵ１０３が入賞時乱数判定処理のステップ４０３において乱数値ＭＲ１が大当り判定範囲内であるか否かを判定する部分）する判定手段（例えば、ＣＰＵ１０３が入賞時乱数値判定処理のステップＳ４０３及びステップＳ４０４を実行する部分）と、
前記判定手段によって前記特定遊技状態に制御されると判定された場合に、当該判定の対象となった可変表示が開始する以前に、前記特定遊技状態となる可能性を予告する予告演出（例えば、図３３に示す第１先読み予告演出と図３４に示す第２先読み予告演出）を実行する予告演出実行手段（例えば、演出制御用ＣＰＵ１２０が先読み予告決定処理においてステップＳ７１７、ステップＳ７２０、ステップＳ７２１、ステップＳ５４３を実行する部分）と、
を備え、
前記予告演出実行手段は、前記予告演出として、前記特定遊技状態となる可能性が異なる複数の第１予告演出（第１先読み予告演出）のいずれかを実行可能であるとともに、前記特定遊技状態となる可能性が異なる複数の第２予告演出（第２先読み予告演出）のいずれかを実行可能であり、
複数の前記第１予告演出のうちで前記特定遊技状態となる可能性が低い演出態様の前記第１予告演出（例えば、先読み予告パターンＳＹＰ１−１）が実行される場合に、複数の前記第２予告演出のうちで前記特定遊技状態となる可能性が低い演出態様の前記第２予告演出（例えば、先読み予告パターンＳＹＰ２−１）が実行されることが制限されるように、前記予告演出を実行する（例えば、演出制御用ＣＰＵ１２０が先読み予告決定処理において、ステップＳ７１２ｄの処理でＹｅｓならステップＳ７１３ａを実行する部分）とともに、前記保留記憶手段が記憶している保留記憶数が同一の保留記憶数であるときに、前記第１予告演出と前記第２予告演出とを異なる割合にて実行する（例えば、演出制御用ＣＰＵ１２０は、ステップ７１０ｃやステップ７１２ｂにおいて第１先読み予告実行決定テーブルまたは第２先読み予告実行決定テーブルに基づいて、保留記憶数が同一の２であって大当りとなる場合において、第１先読み予告演出の実行を８０％の割合で決定して実行するとともに、該８０％の割合とは異なる６５％の割合で第２先読み予告演出を決定して実行する）、
ことを特徴としている。
この特徴によれば、予告演出によって遊技の興趣が向上する。
【手続補正５】
【補正対象書類名】明細書
【補正対象項目名】０００８
【補正方法】変更
【補正の内容】
【０００８】
本発明の手段１の遊技機は、請求項１に記載の遊技機であって、
前記保留記憶手段に記憶されている前記保留記憶の数を特定するための保留特定情報を表示する保留表示手段（例えば、演出表示装置５における始動入賞記憶表示エリア５Ｈ）をさらに備え、
前記予告演出実行手段は、前記判定手段による判定の対象となった保留記憶に対応する前記保留特定情報の表示態様を特殊態様（例えば、銀色表示や、金色表示、星型表示）に変化させる前記第１予告演出を実行するとともに、前記判定手段による判定の対象となった保留記憶に対応する可変表示が実行されるまでの複数回の可変表示に亘って前記第２予告演出を実行する、
ことを特徴としている。
この特徴によれば、特定表示結果となる可能性が低い、保留表示手段を使用した第１予告演出と、複数回の可変表示に亘って実行される第２予告演出と、が重複して実行されることを制限できるので、予告演出によって遊技者の期待感を損なうことを防止でき、遊技の興趣が向上する。
【手続補正６】
【補正対象書類名】明細書
【補正対象項目名】０００９
【補正方法】変更
【補正の内容】
【０００９】
本発明の手段２の遊技機は、請求項１または手段１に記載の遊技機であって、
前記予告演出実行手段により前記予告演出を実行するか否かと実行する場合の前記予告演出の演出態様とを決定する予告演出決定手段を備え、
前記予告演出決定手段は、複数の前記第１予告演出のうちで前記特定遊技状態となる可能性が低い演出態様の前記第１予告演出が実行される場合に、複数の前記第２予告演出のうちで前記特定遊技状態となる可能性が低い演出態様以外の前記第２予告演出が実行されるように、前記予告演出の演出態様を決定する（例えば、演出制御用ＣＰＵ１２０がステップＳ７１３ｂを実行した後にステップＳ７１４を実行する部分）とともに、
複数の前記第２予告演出のうちで前記特定遊技状態となる可能性が低い演出態様の前記第２予告演出が実行される場合に、複数の前記第１予告演出のうちで前記特定遊技状態となる可能性が低い演出態様以外の前記第１予告演出が実行されるように、前記予告演出の演出態様を決定する（例えば、演出制御用ＣＰＵ１２０が先読み予告決定処理において、ステップＳ７１２ｄの処理でＮｏならステップＳ７１３ｂを実行する部分）、
ことを特徴としている。
この特徴によれば、特定表示結果となる可能性が最も低い予告演出が実行されることを制限する一方、それ以外の予告演出は重複して実行されることがあるので、遊技者の期待感を損なうことなく、遊技者の期待感を煽る予告演出を好適に実行することができる。
【手続補正７】
【補正対象書類名】明細書
【補正対象項目名】００１０
【補正方法】変更
【補正の内容】
【００１０】
本発明の手段３の遊技機は、請求項１、手段１、手段２のいずれかに記載の遊技機であって、
前記予告演出実行手段は、前記第１予告演出（第１先読み予告演出）及び前記第２予告演出（第２先読み予告演出）を同一期間に重複して実行可能である、
ことを特徴としている。
この特徴によれば、同一期間に重複して予告演出が実行される場合に、特定表示結果となる可能性が低い予告演出が重複して実行されることを制限できるので、予告演出によって遊技者の期待感を損なうことを防止でき、遊技の興趣が向上する。
【手続補正８】
【補正対象書類名】明細書
【補正対象項目名】００１１
【補正方法】変更
【補正の内容】
【００１１】
本発明の手段４の遊技機は、請求項１または手段１〜手段３のいずれかに記載の遊技機であって、
前記予告演出決定手段は、前記第１予告演出の演出態様を決定した後に、前記第２予告演出の演出態様を決定するものであって、前記第１予告演出の演出態様の決定結果に基づいて、前記第２予告演出の演出態様を決定する（例えば、演出制御用ＣＰＵ１２０が先読み予告決定処理において、ステップＳ７１２ｄの処理でＹｅｓならステップＳ７１３ａを実行し、ＮｏならステップＳ７１３ｂを実行した後にステップＳ７１４を実行する部分）、
ことを特徴としている。
この特徴によれば、第１予告演出についての決定結果に基づいて第２予告演出の演出態様を決定できるので、特定表示結果となる期待度が低い予告演出が重複して実行されることを確実に制限できる。